(57)【要約】【課題】  従来技術は、専用のブリスターパック（パッケージ）であり、一般に市場に出回っているブリスターパッケージに使用できるものではない。また、他の従来技術も上側タスキ部・下側タスキ部・側タスキ部等、構造が複雑で、取付にも時間が掛かり、実用的ではない。【解決手段】  商品陳列用のフックに吊り下げられるブリスターパッケージ商品の盗難を防止するもので、ブリスターパッケージの吊下孔に着脱自在に取り付けるべく、前後に作動可能な吊下孔に連通する通孔を穿設した固定板と、共振体を内設すると共に、吊下孔及び通孔に連通する挿入孔を穿設した防止具本体とからなることを特徴とする。【選択図】図１
2019048020.tif 000002
【特許請求の範囲】
【請求項１】
商品陳列用のフックに吊り下げられるブリスターパッケージ商品の盗難を防止するもので、ブリスターパッケージの吊下孔に着脱自在に取り付けるべく、前後に作動可能な吊下孔に連通する通孔を穿設した固定板と、共振体を内設すると共に、吊下孔及び通孔に連通する挿入孔を穿設した防止具本体とからなることを特徴とするブリスターパッケージ用盗難防止具。
【請求項２】
前記固定板に、ブリスターパッケージを挟持固定すべく係止部を設け、この係止部に出入りする係止具を防止具本体内に設けてなることを特徴とする請求項１記載のブリスターパッケージ用盗難防止具。
【請求項３】
前記係止具が、鉄製であることを特徴とする請求項２記載のブリスターパッケージ用盗難防止具。
【請求項４】
前記係止具を作動させる磁石からなる解除具を設けてなることを特徴とする請求項１、２又は３記載のブリスターパッケージ用盗難防止具。
【請求項５】
前記係止部が、前記吊下孔の丸孔及び長孔に対応できることを特徴とする請求項２、３又は４記載のブリスターパッケージ用盗難防止具。
【発明の詳細な説明】
【技術分野】
【０００１】  本発明は、商品陳列用のフックに吊り下げるブリスターパッケージ商品の吊下孔を利用して盗難を防止するブリスターパッケージ用盗難防止具に関するものである。
【背景技術】
【０００２】  従来技術として、非導電層であって、各要素を保持する区画であって実質的に前記非導電層の中央領域内に配置された区画を複数備え、前記中央領域内を囲むマージン領域を通る少なくとも１つのチャンネル溝をさらに備えた非導電層と、前記複数の区画内に前記要素を固定するために前記中央領域内の上にシールされた金属層と、前記少なくとも１つのチャンネル溝内に配置されたセキュリティタグとを備えたブリスターパックがある。（特許文献１参照）【０００３】  別の従来の技術として、盗難防止装置は、商品包装体に掛け渡される索条と、防犯タグを設けた緊締装置を有する。索条に設けた上部固定具と下部固定具は、上縁部抱持する。索条は、上側タスキ部を上部固定具と両側縁部を掛け渡し、下側タスキ部を下部固定具と両側縁部を掛け渡し、商品包装体の裏面上で連結部により連結し、側タスキ部と下側タスキ部の一方から商品包装体の裏面上を延びる自由端部を緊締装置により緊締する。緊締装置は、緊締手段をロックする施錠手段を設けており、解錠キーで解錠したとき緊締手段がアンロックするものがある。（特許文献２参照）
【先行技術文献】
【特許文献】
【０００４】
【特許文献１】特開２００９−５１５７９５号公報
【特許文献２】特開２０１２−３８１４０号公報
【発明の概要】
【発明が解決しようとする課題】
【０００５】  上記前者は、専用のブリスターパック（パッケージ）であり、一般に市場に出回っているブリスターパッケージに使用できるものではない。【０００６】  また、上記後者においては、上側タスキ部・下側タスキ部・側タスキ部等、構造が複雑で、取付にも時間が掛かり、実用的ではない。【０００７】  本発明は、このような従来の構成が有していた問題を解決しようとするものであり、ブリスターパッケージ商品の吊下孔に着脱自在に取り付けられるもので、シンプルな形状で取付が簡単で、強力磁石でセキュリティ効果が高いブリスターパッケージ用盗難防止具を提供することを目的とする。
【課題を解決するための手段】
【０００８】  本発明は、上記目的を達成するため、商品陳列用のフックに吊り下げられるブリスターパッケージ商品の盗難を防止するもので、ブリスターパッケージの吊下孔に着脱自在に取り付けるべく、前後に作動可能な吊下孔に連通する通孔を穿設した固定板と、共振体を内設すると共に、吊下孔及び通孔に連通する挿入孔を穿設した防止具本体とからなること。前記固定板に、ブリスターパッケージを挟持固定すべく係止部を設け、この係止部に出入りする係止具を防止具本体内に設けてなること。前記係止具が、鉄製であること。前記係止具を作動させる磁石からなる解除具を設けてなること。前記係止部が、前記吊下孔の丸孔及び長孔に対応できることを特徴とする。
【発明の効果】
【０００９】１）、ブリスターパッケージ商品の吊下孔に、着脱自在に装着することができるもので、固定板の通孔と防止具本体の挿入孔を連通させることにより、取付が簡単で、かつ、商品陳列用のフックに取り付けたまま挿入して陳列できる。
２）、固定板と共振体を内設した防止具本体とを軸支にて開閉自在に構成することにより、吊下孔の前後にブリスターパッケージ用盗難防止具を取り付けられ、シンプルな構造であり、邪魔にならない。
３）、ブリスターパッケージ用盗難防止具をブリスターパッケージ商品から外す時は、強力磁石にて係止具を移動させることにより係止部よりロックが外れ、取り外すことができる。
４）、吊下孔の形状が、丸孔でも長孔でも対応できるものである。
５）、吊下孔を使用するため、現状と同じ陳列ができる効果がある。
【図面の簡単な説明】
【００１０】
【図１】  本発明の第１実施例を示すブリスターパッケージ用盗難防止具の前面斜視図。
【図２】  本発明の第１実施例を示すブリスターパッケージ用盗難防止具の固定板を開いた斜視図。
【図３】  本発明の第１実施例を示すブリスターパッケージ用盗難防止具の固定板の斜視図。
【図４】  本発明の第１実施例を示すブリスターパッケージ用盗難防止具の防止具本体を分解した斜視図。
【図５】  本発明の第１実施例を示すブリスターパッケージ用盗難防止具の固定板を開いた状態の防止具本体内部斜視図。
【図６】  本発明の第１実施例を示すブリスターパッケージ用盗難防止具の固定板を少し閉じた状態の防止具本体内部斜視図。
【図７】  本発明の第１実施例を示すブリスターパッケージ用盗難防止具の固定板を完全に閉じた状態の防止具本体内部斜視図。
【図８】  本発明の第１実施例を示すブリスターパッケージ用盗難防止具のブリスターパッケージ用盗難防止具をブリスターパッケージ商品の吊下孔に取り付けた斜視図。
【図９】  本発明の第１実施例を示すブリスターパッケージ用盗難防止具のブリスターパッケージ用盗難防止具をブリスターパッケージ商品の吊下孔に取り付け固定した斜視図。
【図１０】  本発明の第１実施例を示すブリスターパッケージ用盗難防止具のブリスターパッケージ用盗難防止具をブリスターパッケージ商品の吊下孔より取り外すべく解除具をセットする斜視図。
【図１１】  本発明の第１実施例を示すブリスターパッケージ用盗難防止具のブリスターパッケージ用盗難防止具が解除された斜視図。
【図１２】  本発明の第１実施例を示すブリスターパッケージ用盗難防止具のブリスターパッケージ用盗難防止具が解除された内部の状態図。
【図１３】  本発明の第２実施例を示すブリスターパッケージ用盗難防止具の前面斜視図。
【図１４】  本発明の第２実施例を示すブリスターパッケージ用盗難防止具の固定板を開いた斜視図。
【図１５】  本発明の第２実施例を示すブリスターパッケージ用盗難防止具の固定板の斜視図。
【図１６】  本発明の第２実施例を示すブリスターパッケージ用盗難防止具の防止具本体を分解した斜視図。
【図１７】  本発明の第２実施例を示すブリスターパッケージ用盗難防止具の固定板を開いた状態の防止具本体内部斜視図。
【図１８】  本発明の第２実施例を示すブリスターパッケージ用盗難防止具の固定板を少し閉じた状態の防止具本体内部斜視図。
【図１９】  本発明の第２実施例を示すブリスターパッケージ用盗難防止具の固定板を完全に閉じた状態の防止具本体内部斜視図。
【図２０】  本発明の第２実施例を示すブリスターパッケージ用盗難防止具のブリスターパッケージ用盗難防止具をブリスターパッケージ商品の吊下孔に取り付けた斜視図。
【図２１】  本発明の第２実施例を示すブリスターパッケージ用盗難防止具のブリスターパッケージ用盗難防止具をブリスターパッケージ商品の吊下孔に取り付け固定した斜視図。
【図２２】  本発明の第２実施例を示すブリスターパッケージ用盗難防止具のブリスターパッケージ用盗難防止具をブリスターパッケージ商品の吊下孔より取り外すべく解除具をセットする斜視図。
【図２３】  本発明の第２実施例を示すブリスターパッケージ用盗難防止具のブリスターパッケージ用盗難防止具が解除された斜視図。
【図２４】  本発明の第２実施例を示すブリスターパッケージ用盗難防止具のブリスターパッケージ用盗難防止具が解除された内部の状態図。
【発明を実施するための形態】
【００１１】  第１実施例のブリスターパッケージ用盗難防止具について説明する。
１は、商品陳列用のフックに吊り下げられるブリスターパッケージ商品（丸孔）の盗難を防止するブリスターパッケージ用盗難防止具である。（図１・図２）
２は、ブリスターパッケージ商品の吊下孔（丸孔）に着脱自在に取り付けるべく、前後に作動可能な吊下孔に連通する通孔２ａを穿設すると共に、ブリスターパッケージ商品に挟持固定すべく、固定板本体２Ａの裏面上部に２つの先端に斜面２ｂ３を形成した係止片２ｂ１に、係止穴２ｂ２を設けてなる係止部２ｂを形成した固定板であり、後述する係止具本体３の上部に軸支２ｃしてある。（図３）
３は、共振体４を内設すると共に、吊下孔及び通孔２ａに連通する案内片３ａ１を突設した挿入孔３ａを穿設し、係止部２ｂの係止穴２ｂ２に出入りする係止ピン３ｂ１（鉄製）と圧縮スプリング３ｂ２とからなる係止具３ｂを上部左右に設けてある防止具本体で、カバー３ｃにて保護してある。（図４・図５）
【００１２】  ブリスターパッケージ用盗難防止具１の取付作動手順を説明する。
（１）、ブリスターパッケージ用盗難防止具１において、まず、固定板２を少し閉じた状態Ｔで、係止片２ｂ１の斜面２ｂ３が、係止具３ｂの係止ピン３ｂ１の先端に当たり、圧縮スプリング３ｂ２が後方へ圧縮される。（図６）
（２）、固定板２を完全に閉じた状態では、固定板２の係止片２ｂ１の係止穴２ｂ２に、係止ピン３ｂ１の先端を圧縮スプリング３ｂ２の反動により挿入し、固定板２を挟持固定するものである。（図７）
【００１３】  ブリスターパッケージ商品ＢＳへのブリスターパッケージ用盗難防止具１の取付について説明する。
まず、ブリスターパッケージ商品ＢＳの吊下孔Ｔ（丸孔）に、ブリスターパッケージ用盗難防止具１の挿入孔３ａの案内片３ａ１を挿入後、固定板２を閉じることにより、上記（１）、（２）の作動状態にて、挟持固定して取り付けるものである。
この時、通孔２ａ・吊下孔Ｔ・挿入孔３ａが連通しているため商品陳列用のフック（図示せず）に挿入して、各商品を陳列することができるものである。（図８・図９）
【００１４】  ブリスターパッケージ商品ＢＳに取り付けたブリスターパッケージ用盗難防止具１をレジにて取り外すには、解除具５が必要で、この解除具５は、ケース本体５ａの両側に強力な磁石Ｇを内設してなるもので、係止具３ｂに近づけることにより係止ピン３ｂ１が磁石Ｇに引き付けられ、圧縮スプリング３ｂ２が圧縮され、係止ピン３ｂ１の先端が係止穴２ｂ２より外れ、固定板２を開いて挟持固定を解除することができるものである。（図１０・図１１・図１２）
【００１５】  つぎに、第２実施例のブリスターパッケージ用盗難防止具について説明する。
２１は、商品陳列用のフックに吊り下げられるブリスターパッケージ商品（長孔）の盗難を防止するブリスターパッケージ用盗難防止具である。（図１３・図１４）
２２は、前後に作動可能な吊下孔に連通する通孔２２ａを穿設すると共に、ブリスターパッケージ商品に挟持固定すべく、固定板本体２２Ａの裏面下部に２つの先端に斜面２２ｂ３を形成した係止片２２ｂ１に、係止穴２２ｂ２を設けてなる係止部２２ｂを形成した固定板で、後述する防止具本体２３の上部に軸支２２ｃしてある。（図１５）
２３は、共振体２４を内設すると共に、吊下孔及び通孔２２ａに連通する挿入孔２３ａを穿設し、係止部２２ｂの係止穴２２ｂ２に出入りする係止ピン２３ｂ１（鉄製）と圧縮スプリング２３ｂ２とからなる係止具２３ｂを下部左右に設けてある防止具本体で、カバー２３ｃにて保護してある。（図１６・図１７）
【００１６】  ブリスターパッケージ用盗難防止具２１の取付作動手順を説明する。
（１）、ブリスターパッケージ用盗難防止具２１において、まず、固定板２２を少し閉じた状態Ｔ１で、係止片２２ｂ１の斜面２２ｂ３が、係止具２３ｂの係止ピン２３ｂ１の先端に当たり、圧縮スプリング２３ｂ２が後方へ圧縮される。（図１８）
（２）、固定板２２を完全に閉じた状態では、固定板２２の係止片２２ｂ１の係止穴２２ｂ２に、係止ピン２３ｂ１の先端を圧縮スプリング２３ｂ２の反動により挿入し、固定板２２を挟持固定するものである。（図１９）
【００１７】  ブリスターパッケージ商品ＢＳ１へのブリスターパッケージ用盗難防止具２１の取付について説明する。
まず、ブリスターパッケージ商品ＢＳ１の長孔状の吊下孔Ｔ１（丸孔）と、ブリスターパッケージ用盗難防止具２１の挿入孔２３ａを合せて、固定板２２を閉じることにより、通孔２２ａと連通する。
上記（１）、（２）の作動状態にて、挟持固定して取り付けるものである。
この時、通孔２２ａ・長孔状吊下孔Ｔ１・挿入孔２３ａが連通しているため商品陳列用のフック（図示せず）に挿入して、各商品を陳列することができるものである。この時、長孔状の吊下孔Ｔ１に係止片２２ｂ１が入り込んでいる。（図２０・図２１）
【００１８】  ブリスターパッケージ商品ＢＳ１に取り付けたブリスターパッケージ用盗難防止具２１をレジにて取り外すには、解除具５が必要で、この解除具５は、ケース本体５ａの両側に強力な磁石Ｇを内設してなるもので、係止具２３ｂに近づけることにより係止ピン２３ｂ１が磁石Ｇに引き付けられ、圧縮スプリング２３ｂ２が圧縮され、係止ピン２３ｂ１の先端が係止穴２２ｂ２より外れ、固定板２２を開いて挟持固定を解除することができるものである。（図２２・図２３・図２４）
【００１９】  なお、上記各実施例における共振体は、例えば共振コイル等を使用するものである。
また、各部材の材質は同様の機能があれば、特に限定するものではない。
【符号の説明】
【００２０】１―――ブリスターパッケージ用盗難防止具
２―――固定板
３―――防止具本体
４―――共振体
ＢＳ――ブリスターパッケージ商品
【図１】
2019048020.tif 000003
【図２】
2019048020.tif 000004
【図３】
2019048020.tif 000005
【図４】
2019048020.tif 000006
【図５】
2019048020.tif 000007
【図６】
2019048020.tif 000008
【図７】
2019048020.tif 000009
【図８】
2019048020.tif 000010
【図９】
2019048020.tif 000011
【図１０】
2019048020.tif 000012
【図１１】
2019048020.tif 000013
【図１２】
2019048020.tif 000014
【図１３】
2019048020.tif 000015
【図１４】
2019048020.tif 000016
【図１５】
2019048020.tif 000017
【図１６】
2019048020.tif 000018
【図１７】
2019048020.tif 000019
【図１８】
2019048020.tif 000020
【図１９】
2019048020.tif 000021
【図２０】
2019048020.tif 000022
【図２１】
2019048020.tif 000023
【図２２】
2019048020.tif 000024
【図２３】
2019048020.tif 000025
【図２４】
2019048020.tif 000026